(57)【要約】【課題】  本発明は通電加熱タイプの形状記憶合金ワイヤを用いてレンズの位置決めをできるようにして、小型、コンパクト化、軽量化、構造の簡素化を図ることができるカメラレンズを得るにある。【解決手段】  ケースと、このケースの一側部寄りのほぼ中央部位に形成された軸と、この軸にスライド移動可能に取付けられる軸受を側面に備えるレンズが取付けられたケース内をスライド移動するレンズホルダと、このレンズホルダを常時収納方向に付勢できるように軸受を常時押し圧するように取付けられた付勢スプリングと、軸受を前記付勢スプリングの付勢力に抗して押し上げるようにケースの一側部の両端部に端部が位置するＵ字状になるように取付けられた通電加熱タイプの形状記憶ワイヤを用いた作動手段とでカメラレンズを構成している。【選択図】  図１
2008040221.tif 000002
【特許請求の範囲】
【請求項１】
ケースと、このケースの一側部寄りのほぼ中央部位に形成された軸と、この軸にスライド移動可能に取付けられる軸受を側面に備えるレンズが取付けられた前記ケース内をスライド移動するレンズホルダと、このレンズホルダを常時収納方向に付勢できるように、前記軸受を常時押し圧するように取付けられた付勢スプリングと、前記軸受を前記付勢スプリングの付勢力に抗して押し上げるように、前記ケースの一側部の両端部に端部が位置するＵ字状になるように取付けられた通電加熱タイプの形状記憶ワイヤを用いた作動手段とからなることを特徴とするカメラレンズ。
【請求項２】
長方体形状のケースと、このケースの一方の短辺側のほぼ中央部に位置するように形成された軸と、この軸にスライド移動可能に取付けられる軸受を側面に備えるレンズが取付けられた前記ケース内をスライド移動するレンズホルダと、このレンズホルダを常時収納方向に付勢できるように、前記軸受を常時押し圧するように取付けられた付勢スプリングと、前記軸受を前記付勢スプリングの付勢力に抗して押し上げるように、前記ケースの一方の短辺側の一方の側面側に両端部が取付けられた、前記軸受およびケースの一方の短辺側の他方の側面側に形成されたガイドピンを通過する通電加熱タイプの形状記憶ワイヤを用いた作動手段とからなることを特徴とするカメラレンズ。
【発明の詳細な説明】
【技術分野】
【０００１】
本発明は携帯電話機等に取付けられて使用される小型のカメラレンズに関する。
【背景技術】
【０００２】
従来、この種のカメラレンズはレンズの位置決め装置として、ステッピングモータやボイスコイルモータを用いて駆動させている。
【０００３】
しかしながら、両者とも構造が複雑で、コスト高になるという欠点があるとともに、前者のステッピングモータを用いる場合、駆動力が小さく、駆動音が発生するとともに、設置スペースも必要となり、小型化を図るには限界があるという欠点があった。
また、後者のボイスコイルモータを用いる場合、動作時に磁場ができるという問題点があり、この磁場の影響でカメラレンズと組み合わせて使用されるシャッター装置に誤動作が生じたり、電子回路に悪影響を及ぼすという欠点があった。
【特許文献１】特開２００６−７４９９０
【発明の開示】
【発明が解決しようとする課題】
【０００４】
本発明は以上のような従来の欠点に鑑み、通電加熱タイプの形状記憶合金ワイヤを用いて、レンズの位置決めをできるようにして、小型、コンパクト化、軽量化、構造の簡素化を図ることができるカメラレンズを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はケースと、このケースの一側部寄りのほぼ中央部位に形成された軸と、この軸にスライド移動可能に取付けられる軸受を側面に備えるレンズが取付けられた前記ケース内をスライド移動するレンズホルダと、このレンズホルダを常時収納方向に付勢できるように、前記軸受を常時押し圧するように取付けられた付勢スプリングと、前記軸受を前記付勢スプリングの付勢力に抗して押し上げるように、前記ケースの一側部の両端部に端部が位置するＵ字状になるように取付けられた通電加熱タイプの形状記憶ワイヤを用いた作動手段とでカメラレンズを構成している。
【０００７】
本発明は長方体形状のケースと、このケースの一方の短辺側のほぼ中央部に位置するように形成された軸と、この軸にスライド移動可能に取付けられる軸受を側面に備えるレンズが取付けられた前記ケース内をスライド移動するレンズホルダと、このレンズホルダを常時収納方向に付勢できるように、前記軸受を常時押し圧するように取付けられた付勢スプリングと、前記軸受を前記付勢スプリングの付勢力に抗して押し上げるように、前記ケースの一方の短辺側の一方の側面側に両端部が取付けられた、前記軸受およびケースの一方の短辺側の他方の側面側に形成されたガイドピンを通過する通電加熱タイプの形状記憶ワイヤを用いた作動手段とでカメラレンズを構成している。
【発明の効果】
【０００８】
以上の説明から明らかなように、本発明にあっては次に列挙する効果が得られる。
【０００９】
（１）ケースと、このケースの一側部寄りのほぼ中央部位に形成された軸と、この軸にスライド移動可能に取付けられる軸受を側面に備えるレンズが取付けられた前記ケース内をスライド移動するレンズホルダと、このレンズホルダを常時収納方向に付勢できるように、前記軸受を常時押し圧するように取付けられた付勢スプリングと、前記軸受を前記付勢スプリングの付勢力に抗して押し上げるように、前記ケースの一側部の両端部に端部が位置するＵ字状になるように取付けられた通電加熱タイプの形状記憶ワイヤを用いた作動手段とで構成されているので、形状記憶ワイヤに通電することにより、該形状記憶ワイヤが加熱して収縮し、付勢スプリングの付勢力に抗してレンズホルダを突出させることができる。
したがって、構造が簡素で、軽量化や小型、コンパクト化を図ることができる。
【００１０】
（２）前記（１）によって、通電加熱タイプの形状記憶ワイヤを用いた作動手段を用いているので、確実に作動させることができるとともに、作動時に駆動音が発生したり、磁場ができたりすることなく、低騒音、安全に使用することができる。
【００１１】
（３）前記（１）によって、通電加熱タイプの形状記憶ワイヤでレンズホルダの軸受部を付勢スプリングの付勢力に抗してスライド移動可能に設置するだけでよく、容易に取付けることができる。
【００１２】
（４）請求項２も前記（１）〜（３）と同様な効果が得られるとともに、軸受の両側に通電加熱タイプの形状記憶ワイヤを配置することができ、よりスムーズにレンズホルダをスライド移動させることができる。
【発明を実施するための最良の形態】
【００１３】
以下、図面に示す本発明を実施するための最良の形態により、本発明を詳細に説明する。
【００１４】
図１ないし図１１に示す本発明を実施するための最良の第１の形態において、１は携帯電話機等に取付けられて使用される小型コンパクトな本発明のカメラレンズで、このカメラレンズ１は例えば縦寸法が１３ｍｍ、横寸法が１０ｍｍ、高さ寸法が５ｍｍの長方形状のケース２と、このケース２の一方の短辺側のほぼ中央部に位置するように形成された軸３と、この軸３にスライド移動可能に取付けられる軸受４を側面に備えるレンズ５、５、５が取付けられた前記ケース２内をスライド移動するレンズホルダ６と、このレンズホルダ６を常時収納方向に付勢するように、前記軸受４を常時押し圧するように取付けられた付勢スプリング７と、前記軸受４を前記付勢スプリング７の付勢力に抗して押し上げるように前記ケース２の一方の短辺側の一方の側面側に両端部が取付けられた、前記軸受４およびケース２の一方の短辺側の他方の側面側に形成されたガイドピン８、８を通過する通電加熱タイプの形状記憶ワイヤ９を用いた作動手段１０とで構成されている。
【００１５】
前記ケース２はケース本体１１とカバー１２とからなり、前記ケース本体１１には透孔１３と、係合片挿入孔１４、１４、１４、１４とガイドピン係合孔１５、１５、基板取付孔１６、１６と軸係合孔１７が形成されている。
また、前記カバー１２には前記ケース本体１１の透孔１３と対応する部位に形成された透孔１８と、前記ケース本体１１の係合片挿入孔１４、１４、１４、１４、ガイドピン係合孔１５、１５、基板取付孔１６、１６および軸係合孔１７に係合するように形成された係合片１９、１９、１９、１９、ガイドピン８、８、基板取付片２０、２０および軸３が形成されるとともに、レンズホルダガイド凹部２１、２１が形成されている。
【００１６】
前記レンズホルダ６は内部にレンズ５、５、５が収納された円筒状のレンズホルダ本体２２と、このレンズホルダ本体２２の下部外側面より外方へ突出する、前記軸３の貫通孔２３が形成されたスプリング受け２４と、このスプリング受け２４の底面の貫通孔２３の両側部に形成された形状記憶ワイヤのガイド溝２５、２５と、前記スプリング受け２４の上部に一体形成された、前記軸３にスライド移動可能に取付けられる円筒状の軸受４と、この軸受４が形成された部位と対応する部位に形成された、前記カバー１２のレンズホルダガイド凹部２１、２１にガイドされるガイド片２６、２６とで構成されている。
【００１７】
前記作動手段１０は前記基板取付片１６、１６によって前記ケース２に取付けられる基板取付片挿入孔２７、２７および接続端子２８、２８が形成された基板２９と、この基板２９の接続端子２８、２８に両端部が取付けられ、前記レンズホルダ６のスプリング受け２４の形状記憶ワイヤのガイド溝２５、２５およびガイドピン８、８を通過された通電加熱タイプの形状記憶ワイヤ９とで構成されている。
【００１８】
上記構成のカメラレンズ１は前記軸３の外周部で一端部が軸受４に支持され、他端部がカバー１２に支持された付勢スプリング７でレンズホルダ６が収納方向に付勢された状態となり、作動手段１０の形状記憶ワイヤ９が軸受４部分で下方へ押し下げられ、形状記憶ワイヤ９が側面からはＶ字状態となっている。
この状態で作動手段１０が作動する。すなわち、形状記憶ワイヤ９に電流が流れて、該形状記憶ワイヤ９が加熱して収縮すると、付勢スプリング７の付勢力に抗して軸受４すなわち、レンズホルダ６を押し上げ、突出させる。
[発明を実施するための異なる形態]
【００１９】
次に、図１２ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１２ないし図１６に示す本発明を実施するための第２の形態において、前記本発明を実施するための最良の第１の形態と主に異なる点は、ケース本体１１に短辺方向に長孔状のガイドピン係合孔１５Ａ、１５Ａを形成し、該ガイドピン係合孔１５Ａ、１５Ａと係合するガイドピン８、８が取付けられたガイドピン取付片３０をカバー１２にスライド移動可能に取付け、付勢スプリング３１によって外側方向に付勢して通電加熱タイプの形状記憶ワイヤ９の特性であるＡＳ点に至らなくても、温度が上がると徐々にワイヤが縮み始める部分の影響を回避できるようにした点で、このように構成したカメラレンズ１Ａにしても、前記本発明を実施するための最良の第１の形態と同様な作用効果が得られるとともに、形状記憶ワイヤ９のＡＳ点までの収縮での作動によって、レンズホルダ６が移動するのを阻止することができる。
【００２１】
図１７ないし図２０に示す本発明を実施するための第３の形態において、前記本発明を実施するための最良の第１の形態と主に異なる点は、基板２９の接続端子２８、２８部に２個づつの形状記憶ワイヤ挿入孔３２、３２および３２、３２を形成し、該挿入孔３２、３２および３２、３２に交互に形状記憶ワイヤ９の端部を挿入し、挿入孔３２、３２および３２、３２部にハンダ３３、３３および３３、３３で接続するとともに、端部９ａ、９ａを接着剤３４、３４で固定した点で、このように基板２９に形状記憶ワイヤ９を取付けたカメラレンズ１Ｂにしても、前記本発明を実施するための最良の第１の形態と同様な作用効果が得られるとともに、形状記憶ワイヤ９を確実に基板９に取付けることができる。
なお、本発明を実施する形態は前記本発明を実施する第２の形態にも同様に使用することができる。
【００２２】
図２１ないし図２３に示す本発明を実施するための第４の形態において、前記本発明を実施するための第３の形態と主に異なる点は、基板２９の接続端子２８、２８部に１個づつの形状記憶ワイヤ挿入孔３２、３２を形成し、該挿入孔３２、３２に形状記憶ワイヤ９の端部をループＸ状にして挿入し、挿入孔３２、３２部にハンダ３３、３３で接続するとともに、端部９ａ、９ａを接着剤３４、３４で固定した点で、このように基板２９に形状記憶ワイヤ９を取付けたカメラレンズ１Ｃにしても、前記本発明を実施するための第３の形態と同様な作用効果が得られる
【産業上の利用可能性】
【００２３】
本発明はカメラレンズを製造する産業で利用される。
【図面の簡単な説明】
【００２４】
【図１】本発明を実施するための最良の第１の形態の平面図。
【図２】本発明を実施するための最良の第１の形態の側面図。
【図３】図１の３−３線に沿う断面図。
【図４】図１の４−４線に沿う断面図。
【図５】本発明を実施するための最良の第１の形態のケース本体の平面図。
【図６】本発明を実施するための最良の第１の形態のカバーの底面図。
【図７】本発明を実施するための最良の第１の形態のレンズホルダの平面図。
【図８】本発明を実施するための最良の第１の形態のレンズホルダの左側面図。
【図９】本発明を実施するための最良の第１の形態のレンズホルダの右側面図。
【図１０】図７の１０−１０線に沿う断面図。
【図１１】本発明を実施するための最良の第１の形態のレンズホルダの動作説明図。
【図１２】本発明を実施するための第２の形態の平面図。
【図１３】本発明を実施するための第２の形態の側面図。
【図１４】本発明を実施するための第２の形態のケース本体の平面図。
【図１５】本発明を実施するための第２の形態のカバーの底面図。
【図１６】本発明を実施するための第２の形態の形状記憶ワイヤの温度と変位の関係を示す図。
【図１７】本発明を実施するための第３の形態の平面図。
【図１８】図１７の１８−１８線に沿う断面図。
【図１９】本発明を実施するための第３の形態の基板の説明図。
【図２０】図１９の２０−２０線に沿う断面図。
【図２１】本発明を実施するための第４の形態の平面図。
【図２２】図２１の２２−２２線に沿う断面図。
【図２３】本発明を実施するための第４の形態の基板の説明図。
【符号の説明】
【００２５】
１、１Ａ、１Ｂ：カメラレンズ、２：ケース、
３：軸、                                            ４：軸受、
５：レンズ、                                                ６：レンズホルダ、
７：付勢スプリング、                    ８：ガイドピン、
９：形状記憶ワイヤ、                    １０：作動手段、
１１：ケース本体、                                    １２：カバー、
１３：透孔、                                                １４：係合片挿入孔、
１５、１５Ａ：ガイドピン係合孔、
１６：基板取付孔、                                    １７：軸係合孔、
１８：透孔、                                                １９：係合片、
２０：基板取付片、                                    ２１：レンズホルダガイド凹部、
２２：レンズホルダ本体、                        ２３：貫通孔、
２４：スプリング受け、                ２５：ガイド溝、
２６：ガイド片、                            ２７：基板取付片挿入孔、
２８：接続端子、                            ２９：基板、
３０：ガイドピン取付片、                        ３１：付勢スプリング、
３２：形状記憶ワイヤ挿入孔、    ３３：ハンダ、
３４：接着剤。
【図１】
2008040221.tif 000003
【図２】
2008040221.tif 000004
【図３】
2008040221.tif 000005
【図４】
2008040221.tif 000006
【図５】
2008040221.tif 000007
【図６】
2008040221.tif 000008
【図７】
2008040221.tif 000009
【図８】
2008040221.tif 000010
【図９】
2008040221.tif 000011
【図１０】
2008040221.tif 000012
【図１１】
2008040221.tif 000013
【図１２】
2008040221.tif 000014
【図１３】
2008040221.tif 000015
【図１４】
2008040221.tif 000016
【図１５】
2008040221.tif 000017
【図１６】
2008040221.tif 000018
【図１７】
2008040221.tif 000019
【図１８】
2008040221.tif 000020
【図１９】
2008040221.tif 000021
【図２０】
2008040221.tif 000022
【図２１】
2008040221.tif 000023
【図２２】
2008040221.tif 000024
【図２３】
2008040221.tif 000025